(57)【要約】【課題】粘着材に手で触れた際でも、べたついたり、手にくっついてしまう可能性が低く、扱いやすい粘着材付きの電線を提供することを課題とする。【解決手段】ワイヤハーネスなどの電線１と、この電線１の長手方向に沿うようにして取り付けられた、塑性変形が可能な粘着材２とからなり、当該粘着材２を取付対象物４に圧着させることにより、電線１を取付対象物４に固定することができる、粘着材付きの電線であり、粘着材２のうち、少なくとも、取付対象物４に面する表面２１の一部には、網状に形成された、粘着性を有しない非粘着部材３が配位された粘着材付きの電線を提供する。【選択図】          図１
0003105420.tif 000002
【実用新案登録請求の範囲】
【請求項１】
ワイヤハーネスなどの電線（１）と、この電線の長手方向に沿うようにして取り付けられた、塑性変形が可能な粘着材（２）とからなり、当該粘着材（２）を取付対象物（４）に圧縮・変形させて密着させることにより、電線（１）を取付対象物（４）に固定することができる、粘着材付きの電線において、
上記の粘着材（２）のうち、少なくとも、取付対象物（４）に面する表面（２１）の一部には、網状に形成された、粘着性を有しない非粘着部材（３）が配位されたことを特徴とする、粘着材付きの電線。
【請求項２】
上記の粘着材（２）が温度に依存して軟化する特性を有する樹脂からなり、上記の非粘着部材（３）が合成樹脂製の糸（３ａ）からなる網であって、
非粘着部材（３）の一部が、粘着材（２）の表面（２１）から突出するように配位されたことを特徴とする、請求項１に記載の粘着材付きの電線。
【請求項３】
非粘着材（３）が、複数の長手側ライン（３１）と、当該長手側ライン（３１）同士を連結する短手側ライン（３２）とを有する格子状の網であり、
長手側ライン（３１）が、電線（１）の長手方向に沿うように配位されたものであって、
粘着材（２）の表面（２１）に対して直交する方向から見た場合において、短手側ライン（３２）の占める面積よりも長手側ライン（３１）の占める面積の方が大きく形成されており、
短手側ライン（３２）よりも長手側ライン（３１）の方が、粘着材（２）の表面（２１）から、より突出したものであることを特徴とする、請求項２に記載の粘着材付きの電線。
【請求項４】
長手側ライン（３１）が、糸（３ａ）が編まれて形成されたことにより、電線（１）及び粘着材（２）の曲げに応じて伸縮が可能なことを特徴とする、請求項３に記載の粘着材付きの電線。
【考案の詳細な説明】
【技術分野】
【０００１】
本願考案は、取付対象物に固定するための粘着材を備えた、粘着材付きの電線に関するものである。
【背景技術】
【０００２】
従来より、ワイヤーハーネスなどの電線を自動車のボディーや制御盤の内壁などの取付対象物に配置する際に、電線と取付対象物との間に、粘着材を塗り付け、この粘着材の有する粘着力により、電線を取付対象物に固定することがあった。
また、電線と粘着材を当初から一体とした、粘着材付きの電線も存在していた。
【考案の開示】
【考案が解決しようとする課題】
【０００３】
ここで、上記の粘着材は粘着性が高いものであるため、手で不用意に触れると、べたついたり、手にくっついてしまう場合があって扱いにくく、配線作業の効率低下を招くという問題が存在していた。
【０００４】
本願考案は上記のことに鑑み、粘着材に手で触れた際でも、べたついたり、手にくっついてしまう可能性が低く、扱いやすい粘着材付きの電線を提供することを課題とする。
【課題を解決するための手段】
【０００５】
上記課題を解決するために、本願第１の考案は、ワイヤハーネスなどの電線１と、この電線の長手方向に沿うようにして取り付けられた、塑性変形が可能な粘着材２とからなり、当該粘着材２を取付対象物４に圧縮・変形させて密着させることにより、電線１を取付対象物４に固定することができる、粘着材付きの電線において、上記の粘着材２のうち、少なくとも、取付対象物４に面する表面２１の一部には、網状に形成された、粘着性を有しない非粘着部材３が配位されたことを特徴とする、粘着材付きの電線を提供する。
【０００６】
また、本願第２の考案は、上記の粘着材２が温度に依存して軟化する特性を有する樹脂からなり、上記の非粘着部材３が合成樹脂製の糸３ａからなる網であって、非粘着部材３の一部が、粘着材２の表面２１から突出するように配位されたことを特徴とする、請求項１に記載の粘着材付きの電線を提供する。
【０００７】
また、本願第３の考案は、非粘着材３が、複数の長手側ライン３１と、当該長手側ライン３１同士を連結する短手側ライン３２とを有する格子状の網であり、長手側ライン３１が、電線１の長手方向に沿うように配位されたものであって、粘着材２の表面２１に対して直交する方向から見た場合において、短手側ライン３２の占める面積よりも長手側ライン３１の占める面積の方が大きく形成されており、短手側ライン３２よりも長手側ライン３１の方が、粘着材２の表面２１から、より突出したものであることを特徴とする、請求項２に記載の粘着材付きの電線を提供する。
【０００８】
また、本願第４の考案は、長手側ライン３１が、糸３ａが編まれて形成されたことにより、電線１及び粘着材２の曲げに応じて伸縮が可能なことを特徴とする、請求項３に記載の粘着材付きの電線を提供する。
【考案の効果】
【０００９】
本願考案の実施にあっては、非粘着部材３の一部が粘着材２の表面２１に突出するように配位されているため、粘着材２の表面２１に手を触れた際でも、手に触れるのは、非粘着部材３に囲まれた、限られた面積の粘着材２だけであって、従来のように、べたついたり、手にくっついてしまう可能性がほとんどない。このため、従来の粘着材付きの電線に比べて扱いやすいものとなっており、配線作業の効率低下を招くこともない。
【００１０】
また特に、本願の請求項２に記載の考案にあっては、粘着材２として用いる、温度に依存して軟化する特性を有する樹脂が、熱圧着しない限り、取付対象物４などの他のものとの粘着を阻害するものであるため、流通時などにおいては、ほとんどべたついたり、手にくっついてしまうことがなく、扱い易い粘着材付きの電線を提供できる。また、当該粘着材２をヒーターやバーナーなどで熱して軟化させることにより、当該粘着材２を取付対象物４に圧縮・変形させて密着させる際に、網状に形成された非粘着部材３の間から容易に押し出すことができ、これにより、電線１を確実に取付対象物４に固定することができる。
【考案を実施するための最良の形態】
【００１１】
以下、図面に基づき本願考案の一実施例をとりあげて説明する。図１及び図２は本例の粘着材付きの電線を示す斜視図であり、図３は本例の粘着材付きの電線の使用例を示す断面図である。
【００１２】
本願発明に係る粘着材付きの電線は、電線１と、この電線１の長手方向に沿うようにして取り付けられた、塑性変形が可能な粘着材２とからなるものであり、本例では、図２に示したように、この電線１が、複数の電線を帯状に一体化したワイヤハーネスとされており、その一方側の面に、粘着材２として、帯状に形成したブチルゴムを取り付けた形態とされている。この電線１と粘着材２との取り付けは、粘着材２自身の有する粘着性によってなされる。
本願発明に係る粘着材２としては、上記のブチルゴム以外であっても、温度に依存して軟化する特性を有する樹脂であれば良く、例えば未加硫ゴム、具体的には、クロロプレン、ＩＲイソプレン、天然ゴム、エラストマーを用いることができる。
上記のような、温度に依存して軟化する特性を有する樹脂は、熱圧着しない限り、取付対象物４などの他のものとの粘着を阻害するものであるため、当該樹脂を用い、更に、粘着材２の表面２１に後述する非粘着部材３を配位することにより、流通時などにおいては、ほとんどべたついたり、手にくっついてしまうことがなく、扱い易い粘着材付きの電線を提供できる。
なお、電線１の粘着材２への取り付けは、直接なされたものとしても良いし、ウレタンスポンジなどの緩衝体を両者間に挟んで間接的になされたものとしても良い。
なお、図１及び図２に示したものは、長手方向について、所定の長さにカットした形態としたが、実際には、電線１の必要な長さに応じた長尺のものとされている。
【００１３】
上記の粘着材２のうち、少なくとも、取付対象物４に面する表面２１の一部には、網状に形成された、粘着性を有しない非粘着部材３が配位されている。本例では、電線（ワイヤーハーネス）１と反対側の面である表面２１に貼り付けられた、複数の長手側ライン３１と、当該長手側ライン３１同士を連結する短手側ライン３２とを有する格子状の網であって、合成樹脂製の糸３ａが編まれて形成されたものである。この非粘着部材３の長手側ライン３１が、電線（ワイヤーハーネス）１の長手方向に沿うように配位される。本例では、平面視、つまり粘着材の表面に対して直交する方向から見た場合において、長手側ライン３１と短手側ライン３２とが互いに略直交する関係とされているが、これに限られず、上記の各ライン３１，３２が種々の角度を持つものとしても良い。また、本例の非粘着部材３は、図１（Ｂ）に示すように、合成樹脂製の糸３ａが編まれて形成された網としているが、これに限られるものではなく、上記の各ライン３１，３２を一体に形成した網としても良い。
また、この非粘着部材３は、粘着材２の表面２１に限られず、側面２２に配位したものとしても良い。
【００１４】
上記の非粘着部材３の粘着材２への貼り付けは、非粘着部材３の一部が粘着材２の表面２１へと埋め込まれることによりなされる。
ここで、図１（Ｂ）に示すように、非粘着部材３の長手側ライン３１は立体状に編まれており、短手側ライン３２は糸３ａが並べられただけ、あるいは軽く捻られただけとされている。そのため、平面視において、短手側ライン３２の占める面積よりも長手側ライン３１の占める面積の方が大きく形成されたものであり、短手側ライン３２の方が、長手側ライン３１よりも相対的に多く埋め込まれる。よって、図１（Ｃ）に示すように、短手側ライン３２よりも長手側ライン３１の方が、粘着材２の表面２１から、より突出したものとなる。なお、上記の面積とは、各ライン３１，３２の１本毎において、各ライン３１，３２を構成する糸３ａに囲まれた部分３１ａ，３２ａ（図１（Ｂ）参照）も含むものである。
なお、後述のように、粘着材２を取付対象物４に取り付ける際には、図３（Ｂ）に示すように、粘着材２が押圧により変形することに伴い、非粘着部材３が粘着材２に完全に潜り込むことにより、粘着材２と取付対象物４とが接触することが望ましいため、上記の各ライン３１，３２の面積は、この潜り込みが阻害されない程度のものとする。
【００１５】
このように粘着材２の表面２１に非粘着部材３が突出して設けられたことにより、ヒーターやバーナーなどで温度上昇させることにより軟化させた粘着材２の表面側に手が触れた際でも、非粘着部材３に囲まれた、限られた面積の粘着材２だけが触れるため、従来の、非粘着部材３を設けていない粘着材のように、手にくっついたり、べたつくことがほとんどない。
【００１６】
一方、粘着材２を取付対象物４に圧着させることにより、電線１を取付対象物４に固定する際には、当初は、図１や図３（Ａ）に示すように、粘着材２の表面２１に配位されている非粘着部材３が、電線１を取付対象物４へと押し付けるに従い、塑性変形可能である粘着材２が非粘着部材３の間から押し出されるように変形し、図３（Ｂ）に示すように、粘着材２の内部へと潜り込む。これにより、粘着材２と取付対象物４とが、非粘着部材３の介在なしに直接密着し、確実な粘着力を発揮することができる。
ここで、粘着材２が温度に依存して軟化する特性を有するものであるため、粘着材２をヒーターやバーナーなどで熱して軟化させることにより、容易に塑性変形可能とでき、上記圧着の際に、網状に形成された非粘着部材３の間から容易に押し出すことができる。
【００１７】
また、特に長手側ライン３１が、図１（Ｂ）に示すように、糸３ａが編まれて形成されたことにより、この粘着材付きの電線を取付対象物４に配位する際、図４に示すように、長手側ライン３１が電線１及び粘着材２の曲げに応じて伸縮可能となっており、取付対象物４が曲面を有する場合であっても、これに支障なく追随させて取り付けることが可能である。よって、曲面の多い自動車の車内へとワイヤハーネスを配線する際においても、効率良く作業することができる。
【図面の簡単な説明】
【００１８】
【図１】（Ａ）は本例の粘着材付きの電線の粘着材側を示す斜視図であり、（Ｂ）は（Ａ）におけるＢ部の拡大図であり、（Ｃ）は非粘着部材が粘着材の表面に埋め込まれた状態を示す説明図である。
【図２】本例の粘着材付きの電線の電線側を示す斜視図である。
【図３】（Ａ）（Ｂ）とも、本例の粘着材付きの電線の使用例を示す、図１（Ａ）におけるＡ−Ａ矢視の断面図であり、（Ａ）は対象物に圧着させる前の状態を示し、（Ｂ）は対象物に圧着させた後の状態を示す。
【図４】本例の粘着材付きの電線を湾曲させた状態を示す斜視図である。
【符号の説明】
【００１９】
１      電線
２      粘着材
２１    粘着材の表面
３      非粘着部材
３ａ    合成樹脂製の糸
３１    長手側ライン
３２    短手側ライン
４      取付対象物
【図１】
0003105420.tif 000003
【図２】
0003105420.tif 000004
【図３】
0003105420.tif 000005
【図４】
0003105420.tif 000006